(57)【要約】【課題】カートリッジを薬室に充填した際の銃身との軸線ずれをなくし、また弾丸を安定して保持することによって、発射後の弾道精度を向上することができ、さらにカートリッジ内の貫通孔を通過するガスの流れを円滑にして効率のよいガス圧力を得ることができるようにしたエアーガン用カートリッジを提供する。【解決手段】カートリッジ本体２の内部に装填した弾丸Ｂをガス圧で発射するエアーガン用カートリッジ１において、外部圧力で変形しない素材によるカートリッジ本体２の内部に貫通孔４が形成され、該貫通孔４の内周に軟質素材による弾丸保持部材５が一体的に固設され、該弾丸保持部材５に貫通形成されたガス通過孔６の先端付近の内部に弾丸Ｂを着脱自在に保持する弾丸保持部７が形成されている。【選択図】図１
2010048522.tif 000002
【特許請求の範囲】
【請求項１】
カートリッジ本体の内部に装填した弾丸をガス圧で発射するエアーガン用カートリッジにおいて、
外部圧力で変形しない素材によるカートリッジ本体の内部に貫通孔が形成され、該貫通孔の内周に軟質素材による弾丸保持部材が一体的に固設され、該弾丸保持部材に貫通形成されたガス通過孔の先端付近の内部に弾丸を着脱自在に保持する弾丸保持部が形成されていることを特徴とするエアーガン用カートリッジ。
【請求項２】
カートリッジ本体の貫通孔の内周に固設した弾丸保持部材の後端には後部シール部が一体的に形成されていることを特徴とする請求項１記載のエアーガン用カートリッジ。
【請求項３】
カートリッジ本体の貫通孔の後端付近の内周に形成された環状突起に、弾丸保持部材の後端付近の外周に形成された環状凹部を嵌合することによって、カートリッジ本体の貫通孔内に弾丸保持部材を固定したことを特徴とする請求項１又は２記載のエアーガン用カートリッジ。
【発明の詳細な説明】
【技術分野】
【０００１】
本発明は、ＢＢ弾等の玩具用弾丸を装填するカートリッジであって、カートリッジ内の弾丸をエアーガンのガス圧によって発射するエアーガン用カートリッジに関する。
【背景技術】
【０００２】
従来から、カートリッジ内にＢＢ弾等の玩具用弾丸を装填し、この弾丸に後方から圧縮ガスを当てて前方へ発射させるようにしたエアーガンが開発されている。
【０００３】
このようなエアーガンに用いる従来のカートリッジとしては、図３（ａ）及び（ｂ）に示すように、軟質素材による弾丸保持部２１と硬質素材によるカートリッジ本体２２とが別体に形成されたカートリッジ２０が知られている。このカートリッジ２０は、カートリッジ本体２２の前方に形成された小径部２３の外周に突部２４が形成され、この突部２４に弾丸保持部２１の後部内周に形成された凹部２５を嵌合することによって、弾丸保持部２１とカートリッジ本体２２とが結合され、さらに、弾丸保持部２１の内周に突起２６が形成され、前方から押込んだ弾丸Ｂを突起２６で係止する構成とされている。
【０００４】
ところが、このカートリッジ２０は、上記のように弾丸保持部２１とカートリッジ本体２２とが別体に構成されているほか、カートリッジ本体２２の後部にシール部材２７が別体に設けられた構成とされているため、製造に手間を要し、内部の貫通孔２８に段差２８ａや継目２８ｂがあるため、ガスの流れに支障が生じるという不都合があった。
【０００５】
さらに、上記のカートリッジ２０は、カートリッジ本体２２の前方に軟質素材によって形成された弾丸保持部２１が露呈した状態に結合されているため、このカートリッジ２０を例えば図４に示すエアーガン３０に装填すると、以下のような不都合が生じる。
【０００６】
即ち、図４に示すエアーガン３０は、把手３１のマガジン室３２に収納されたマガジン３３に多数のカートリッジ２０、２０…を収納する弾倉３４が設けられ、弾倉３４の最上段のカートリッジ２０を弾倉３４の下部に設けられたバネ３５の弾性力によって薬室３６に送り込み、ガス蓄圧室３７から放出される気化ガスでカートリッジ２０内の弾丸Ｂを発射した後、次のカートリッジ２０を薬室３６に送り込むようにした構成とされている。
【０００７】
このようなカートリッジ２０の装填動作において、カートリッジ２０の先端部を構成する弾丸保持部２１が軟質素材によって形成されているため、薬室３６内へ傾斜状態で装填される際に、弾丸保持部２１が周辺部材に押圧される等の外力によって変形が生じ、薬室３６内への装填不良や薬室３６内での銃身との軸線ずれが生じることがある。
【０００８】
また、カートリッジ２０の先端部の弾丸保持部２１に変形が生じることによって、弾丸の保持精度が安定せず、弾丸を発射した後の弾道を高精度に保持することが困難であるという不都合が生じる。
【０００９】
また、上記のカートリッジに関連した従来の特許文献１を参照すると、この文献の発明は「エアガン類用先込め式カートリッジ」と称する技術であり、図５に示すように、筒状の本体４０の先端部に不図示の弾丸を先込め式に保持可能とした弾丸保持部材４３を有し、さらに本体４０を貫通して先端部に達するインナーシャフト４２が設けられ、このインナーシャフト４２はその後端部にて本体４０に固定されると共に、圧縮空気の通路４１を貫通状に形成してなるものである。
【００１０】
上記の構成において、弾丸保持部材４３は筒状の部材を二つ割りにした２部品４４、４４からなり、弾力性リング４５を夫々の２部品４４、４４に形成された外周溝４４ａ、４４ａに嵌合することにより一体化して先端の挿入口を開閉可能とした構造を有するものである。また、弾丸保持部材４３は、上記のように弾丸保持部材４３を二つ割りの構成とするのではなく、弾力性を有する樹脂によって単一の筒形４６に形成した構成とされる場合もある。
【００１１】
従って、この特許文献１の発明においても、図３に示す従来のカートリッジと同様に、先端の弾丸保持部材４３又は単一の筒形４６に変形が生じやすいため、薬室内への装填不良や薬室内での銃身との軸線ずれが生じやすく、また弾丸の保持精度が安定せず、弾丸の弾道を高精度に維持することが困難であるという不都合が生じる。
【特許文献１】特開２００５−２６５３４８号公報
【発明の開示】
【発明が解決しようとする課題】
【００１２】
本発明は、上記の事情に鑑みてなされたもので、カートリッジを薬室に充填した際の銃身との軸線ずれをなくし、また弾丸を安定して保持することによって発射後の弾道精度を向上することができ、さらにカートリッジ内の貫通孔を通過するガスの流れを円滑にして効率のよいガス圧力を得ることができるようにしたエアーガン用カートリッジを提供することを目的とする。
【課題を解決するための手段】
【００１３】
上記の問題を解決するために、本発明における請求項１のエアーガン用カートリッジは、カートリッジ本体の内部に装填した弾丸をガス圧で発射するエアーガン用カートリッジにおいて、外部圧力で変形しない素材によるカートリッジ本体の内部に貫通孔が形成され、該貫通孔の内周に軟質素材による弾丸保持部材が一体的に固設され、該弾丸保持部材に貫通形成されたガス通過孔の先端付近の内部に弾丸を着脱自在に保持する弾丸保持部が形成されていることを特徴とする。
【００１４】
また、本発明における請求項２のエアーガン用カートリッジは、請求項１において、カートリッジ本体の貫通孔の内周に固設した弾丸保持部材の後端には後部シール部が一体的に形成されていることを特徴とする。
【００１５】
さらに、本発明における請求項３のエアーガン用カートリッジは、請求項１又は２において、カートリッジ本体の貫通孔の後端付近の内周に形成された環状突起に、弾丸保持部材の後端付近の外周に形成された環状凹部を嵌合することによって、カートリッジ本体の貫通孔内に弾丸保持部材を固定したことを特徴とする。
【発明の効果】
【００１６】
本発明のエアーガン用カートリッジは、カートリッジ本体と弾丸保持部材とからなり、外部圧力で変形しない素材によるカートリッジ本体の内部に弾丸保持部が設けられているため、弾丸保持部はその外周がカートリッジ本体で保護された構成となって、弾丸保持部が外部圧力で変形し難い構成となり、カートリッジを安定状態で薬室に装填することができ、薬室内と銃身との軸線ずれを解消することが可能となる。
【００１７】
また、上記のように弾丸保持部が変形し難い構成であるため、発射後の弾道を高精度に安定させることが可能となる。
【００１８】
また、カートリッジ本体の内部の貫通孔に固設された弾丸保持部材が一体的に形成され、弾丸保持部材の後端には後部シール部が一体的に形成されているため、部品構成を簡単化することができ、ガス通過孔を通過するガスの流れもスムーズになり、ガス圧によって発射する弾丸に効率よくガス圧力を付与することが可能となる。
【００１９】
さらに、カートリッジ本体の貫通孔の後端付近の内周に形成された環状突起に、弾丸保持部材の後端付近の外周に形成された環状凹部を嵌合することによって、カートリッジ本体の貫通孔内に弾丸保持部を固設することができる構成としてあるため、カートリッジ本体の貫通孔内に軟質素材からなる弾丸保持部材を容易に取付けることが可能となる。
【発明を実施するための最良の形態】
【００２０】
以下、本発明の実施例について図面を参照しながら説明する。
【実施例１】
【００２１】
本実施例のエアーガン用カートリッジ１は、図１（ａ）、（ｂ）に示すように、カートリッジ本体２の内部に装填したＢＢ弾等の弾丸Ｂをガス圧で発射するエアーガン用カートリッジ１において、外部圧力で変形しない素材によるカートリッジ本体２の内部に貫通孔４が形成され、該貫通孔４の内周に軟質素材による弾丸保持部材５が一体的に固設され、該弾丸保持部材５に貫通形成されたガス通過孔６の先端付近の内部に弾丸Ｂを着脱自在に保持する弾丸保持部７が形成されている。
【００２２】
上記の構成について詳細に述べると、図１（ａ）、（ｂ）に示すように、カートリッジ本体２は、アルミニウム等の軽金属の他、硬質の合成樹脂等のように外部圧力が作用してもカートリッジ本体２が変形しない材料が使用され、その形状は、筒形状の後端付近（図１（ａ）（ｂ）に向かって右方をカートリッジ本体２の後方とする）に絞り形状３が形成されると共に、その後端に周状の突出形状を有する周底部８が形成されている。
【００２３】
さらに、カートリッジ本体２の内部には貫通孔４が形成され、貫通孔４の後端付近の内周には、後述する弾丸保持部材５を固定するための環状突起９が形成されている。
【００２４】
一方、カートリッジ本体２の貫通孔４内に設けた弾丸保持部材５は、軟質ゴムや軟質合成樹脂等の軟質素材によって内部に貫通孔４を有する筒状に形成されると共に、弾丸保持部材５の後端付近の外周に環状凹部１０が形成され、この環状凹部１０をカートリッジ１の貫通孔４の後端付近の内周に形成された環状突起９に嵌合することによって、弾丸保持部材５をカートリッジ本体２の貫通孔４内に固定した構成としている。
【００２５】
ただし、上記のようにカートリッジ本体２に環状突起９を形成し、また弾丸保持部材５に環状凹部１０を形成する他、カートリッジ本体２の内周と弾丸保持部材５の外周を直状に形成し、カートリッジ１の貫通孔４内に弾丸保持部材５を挿着して接着剤で固定する構造としてもよく、さらにカートリッジ本体２の内周に弾丸保持部材５を結合する手段として、他の固定方法を用いることも可能である。
【００２６】
また、弾丸保持部材５の後端にはカートリッジ１の後端から突出してなる突出部１１を有することによって、この突出部１１を後部シール部として機能させることができる。このような構成によって、本実施例の弾丸保持部材５は、先端から後部シール部（突出部１１）を含む連続的な一体形状に形成され、先端から後端まで直状に貫通形成されたガス通過孔６の先端付近の内部に弾丸保持部７が形成された構成となる。
【００２７】
このような構成により、弾丸保持部材５が一体的な構成とされるため、部品構成を簡単化することができ、ガス通過孔６は直状に形成されているため、ガス通過孔６を通過するガスの流れもスムーズになり、ガス圧によって発射する弾丸Ｂに対して効率よくガス圧力を噴射することが可能となる。
【００２８】
また、図１（ａ）、（ｂ）に示すように、弾丸保持部７には、弾丸Ｂの一部外周を保持する円弧形保持部７ａと、弾丸Ｂを着脱自在に保持する弾性の環状突起７ｂとが形成され、弾丸Ｂを外方から弾丸保持部７の内部に押込んだとき、弾丸Ｂは環状突起７ｂを周部方向に押圧しながら乗り越して円弧形保持部７ａに当接することによって保持状態となる。
【００２９】
なお、図５は本実施例のカートリッジ１をエアーガン３０に装填した状況を示すものであり、エアーガン自体は、図４に示すものと同様の構造を有する。即ち、エアーガン３０は、把手３１のマガジン室３２に収納されたマガジン３３に多数のカートリッジ１、１…を収納する弾倉３４が設けられ、弾倉３４の最上段のカートリッジ１を弾倉３４の下部に設けられたバネ３５の弾性力によって薬室３６に送り込み、ガス蓄圧室３７から放出される気化ガスでカートリッジ１内の弾丸Ｂを発射した後、次のカートリッジ１を薬室３６に送り込むことによって空のカートリッジ１を排出するようにした構成を有する。
【００３０】
このようなカートリッジ１の装填動作において、本実施例のカートリッジ１は、外部圧力で変形しない素材によるカートリッジ本体２の内部に弾丸保持部材５が設けられた構成とされ、弾丸保持部材５の先端付近に設けられた弾丸保持部７はその外周がカートリッジ本体２で保護された構成となるため、弾丸保持部７が外部圧力で変形し難い構成となり、カートリッジ１を安定状態で薬室３６に装填することができ、薬室３６内と銃身との軸線ずれを解消することが可能となる。
【００３１】
また、弾丸保持部７がその外周に設けられたカートリッジ本体２で保護されたことによって変形し難い構成とされているため、発射後の弾道を高精度に安定させることが可能となる。
【産業上の利用可能性】
【００３２】
本発明のエアーガン用カートリッジは、カートリッジを薬室に充填した際の銃身との軸線ずれをなくし、また弾丸を安定して保持することによって、発射後の弾道精度を向上することができ、さらに、カートリッジ内の貫通孔を通過するガスの流れを円滑にして効率のよいガス圧力を得ることができるようにしたエアーガン用カートリッジとして利用可能である。
【図面の簡単な説明】
【００３３】
【図１】本発明によるエアーガン用カートリッジの断面図であり、（ａ）は弾丸を装填した状態を示し、（ｂ）は弾丸を取り外した状態を示す。
【図２】本発明によるエアーガン用カートリッジをエアーガンに装填した状態を示す断面図である。
【図３】従来のエアーガン用カートリッジの断面図であり、（ａ）は弾丸を装填した状態を示し、（ｂ）は弾丸を取り外した状態を示す。
【図４】本発明によるエアーガン用カートリッジをエアーガンに装填した状態を示す断面図である。
【図５】特許文献１に図示されているカートリッジの分解図である。
【符号の説明】
【００３４】
１  カートリッジ
２  カートリッジ本体
３  絞り形状
４  貫通孔
５  弾丸保持部材
６  ガス通過孔
７  弾丸保持部
７ａ  円弧形保持部
７ｂ  環状突起
８  周底部
９  環状突起
１０  環状凹部
１１  後部シール部（突出部）
３０  エアーガン
３１  把手
３２  マガジン室
３３  マガジン
３４  弾倉
３５  バネ
３６  薬室
３７  ガス蓄圧室
Ｂ  弾丸
【図１】
2010048522.tif 000003
【図２】
2010048522.tif 000004
【図３】
2010048522.tif 000005
【図４】
2010048522.tif 000006
【図５】
2010048522.tif 000007